(57)【要約】溶接装置は溶接トーチと記憶部と電源部と入力部と選択部と制御部とを有する。溶接トーチは溶接用のワイヤに給電するための給電部を有する溶接用チップを備える。記憶部は給電部から溶接対象物までの距離値と、ワイヤの単位時間当たりの供給長さと単位時間当たりの供給重量と設定電流との少なくともいずれかと対応付けた複数の溶接条件を記憶している。電源部はワイヤと溶接対象物との間に電力を供給する。入力部は給電部から溶接対象物までの距離の設定値の入力を受け付ける。選択部は設定値に基づいて、記憶部に記憶された複数の溶接条件のうちの１つを選択する。制御部は選択部が選択した溶接条件に基づいて電源部を制御する。
2008108014.tif 000002
【特許請求の範囲】
【請求項１】
溶接用のワイヤに給電するための給電部を有する溶接用チップを備えた溶接トーチと、
前記給電部から溶接対象物までの距離値と、前記ワイヤの単位時間当たりの供給長さと単位時間当たりの供給重量と設定電流との少なくともいずれかと対応付けた複数の溶接条件を記憶する記憶部と、
前記ワイヤと前記溶接対象物との間に電力を供給する電源部と、
前記給電部から溶接対象物までの距離の設定値の入力を受け付ける入力部と、
前記設定値に基づいて、前記記憶部に記憶された複数の前記溶接条件のうちの１つを選択する選択部と、
前記選択部が選択した溶接条件に基づいて前記電源部を制御する制御部と、を備えた、
溶接装置。
【請求項２】
複数の前記溶接条件に対応する前記距離値のいずれとも前記設定値が異なる場合、前記選択部は、前記距離値のうち前記設定値に対して最も差が小さい距離値に対応する溶接条件を選択する、
請求項１記載の溶接装置。
【請求項３】
前記記憶部は、前記距離値から溶接条件を演算するための演算式をさらに記憶し、
前記選択部は前記演算式と前記設定値に基づいて、溶接条件を演算して前記制御部に出力する、
請求項１記載の溶接装置。
【請求項４】
前記溶接用チップは、前記給電部よりも前記溶接対象物側に設けられ、前記ワイヤを挿通するための貫通孔を有する絶縁部材をさらに有する、
請求項１記載の溶接装置。
【請求項５】
前記記憶部はさらに、前記絶縁部材の前記貫通孔の方向の長さ値を複数の前記溶接条件に対応付けて記憶し、
前記入力部は前記絶縁部材の前記貫通孔方向の長さの設定値の入力をさらに受け付け、
前記選択部は前記貫通孔方向の長さの前記設定値に基づき複数の前記溶接条件のうちの１つを選択する、
請求項４記載の溶接装置。
【請求項６】
前記記憶部はさらに、前記ワイヤの前記給電部からの突出長さ値と前記溶接用チップの識別情報との少なくともいずれかを複数の前記溶接条件に対応付けて記憶し、
前記入力部は前記ワイヤの前記給電部からの突出長さの設定値と前記溶接用チップの識別情報との少なくともいずれかの入力をさらに受け付け、
前記選択部は前記ワイヤの前記給電部からの突出長さの設定値と前記入力部から入力された前記溶接用チップの識別情報との少なくともいずれかに基づき複数の前記溶接条件のうちの１つを選択する、
請求項１記載の溶接装置。
【請求項７】
溶接用のワイヤに給電するための給電部を有する溶接用チップを備えた溶接トーチと、
前記給電部から溶接対象物までの距離値から溶接条件を演算するための演算式を記憶する記憶部と、
前記ワイヤと前記溶接対象物との間に電力を供給する電源部と、
前記給電部から溶接対象物までの距離の設定値の入力を受け付ける入力部と、
前記演算式と前記設定値に基づいて、溶接条件を演算する選択部と、
前記選択部が演算した溶接条件に基づいて前記電源部を制御する制御部と、を備えた、
溶接装置。
【請求項８】
溶接用のワイヤに給電するための給電部と、前記給電部よりも前記溶接対象物側に設けられ、前記ワイヤを挿通するための貫通孔を設けられた絶縁部材と、を有する溶接用チップを備えた溶接トーチと、
前記絶縁部材の前記貫通孔方向の長さ値と対応付けた複数の溶接条件を記憶する記憶部と、
前記ワイヤと前記溶接対象物との間に電力を供給する電源部と、
前記絶縁部材の前記貫通孔の方向の長さの設定値の入力を受け付ける入力部と、
前記貫通孔方向の長さの前記設定値に基づき複数の前記溶接条件のうちの１つを選択する選択部と、
前記選択部が選択した溶接条件に基づいて前記電源部を制御する制御部と、を備えた、
溶接装置。
【請求項９】
ワイヤに給電するための給電部を有する溶接用チップを備えた溶接トーチと、
前記ワイヤの前記給電部からの突出長さ値と前記溶接用チップの識別情報との少なくともいずれかと対応付けた複数の溶接条件を記憶する記憶部と、
前記ワイヤと前記溶接対象物との間に電力を供給する電源部と、
前記ワイヤの前記給電部からの突出長さの設定値と前記溶接用チップの識別情報との少なくともいずれかの入力を受け付ける入力部と、
前記ワイヤの前記給電部からの突出長さの設定値と前記入力部から入力された前記溶接用チップの識別情報との少なくともいずれかに基づき、複数の前記溶接条件のうちの１つを選択する選択部と、
前記選択部が選択した溶接条件に基づいて前記電源部を制御する制御部と、を備えた、
溶接装置。
【発明の詳細な説明】
【技術分野】
【０００１】  本発明は、主に、消耗電極（以下、ワイヤと称す）を自動的に送って供給し、ワイヤと溶接対象物（以下、母材と称す）との間にアークを発生させて溶接を行う溶接装置に関する。
【背景技術】
【０００２】  近年、溶接業界では生産性向上のために溶接の高速化やスパッタの低減に対する要求が高まっている。溶接速度を高速化すれば時間当たりの生産数が増加する。一方、スパッタを低減すればワークに付着したスパッタを除去する後処理工程を削減できる。これらにより高品位溶接が安定して行われれば溶接生産性が向上する。【０００３】  従来の溶接装置では、高品位溶接の安定性向上のため溶接条件毎に数百種類にも及ぶ数多くの波形制御パラメータを非常に緻密に制御している。この波形制御パラメータは、溶接条件毎に適正値が存在している。したがって、種々の溶接条件を設定することにより、溶接装置内のデータ記憶部に記憶されている溶接条件テーブルから適正な波形制御値を読み出して波形を制御している。ここで溶接条件は、例えば、ワイヤ径、シールドガス種類、溶接法、溶接電流値あるいは単位時間当たりのワイヤ供給長さ（以下、供給速度）を含む。このような技術は例えば特許文献１に開示されている。【０００４】  ただし、溶接用チップの給電部から溶接対象物までの距離（以下、給電部−溶接対象物間距離と称す）は、溶接現場において作業者が任意に設定する。給電部−溶接対象物間距離は波形制御パラメータを選定する上で重要な因子である。したがって、溶接機器メーカでは、メーカ毎に一般的な給電部−溶接対象物間距離を１つ設定した上で波形制御パラメータ値を選定し、溶接条件の中に格納するのが一般的である。【０００５】  しかしながら、例えば、溶接現場において母材の溶接部と溶接冶具とが接近していると、溶接冶具と溶接用トーチが干渉する（当たる）場合がある。この場合、相互の干渉を避けるため溶接用トーチを母材から放さなければならない。すると、実際の給電部−溶接対象物間距離が、設定した値より長くなることがある。また、溶接される母材と母材との間に隙間が介在するような場合、溶接ねらい位置のズレを極力少なくする必要がある。このような場合には、実際の給電部−溶接対象物間距離が、設定した値より短くなることがある。【０００６】  これらの場合、溶接条件設定は変更せず、給電部−溶接対象物間距離だけが変わる。軟鋼やステンレス等の抵抗値が高い材質の溶接ワイヤでは、給電部−溶接対象物間距離が変わると溶接出力経路の抵抗値が大きく変わる。このためワイヤ供給速度は変わらないが、出力電流や適正な溶接電圧が変わるため、適正な溶接が行えなくなる。なぜなら、溶接波形パラメータはワイヤ供給速度毎あるいは溶接電流の設定値毎に関連付けて設定されているからである。例えば、実際の給電部−溶接対象物間距離が設定値より大きい場合、出力溶接電流は下がり、電流が低くなったにも関わらず波形制御パラメータはそのままであるためスパッタが増加する。また、長くなった突出し長さ分の電圧が加算されないので溶接電圧が不足し、アークが不安定になる。【０００７】  また、適正な溶接が行えないのは、主溶接時間帯だけでなく、アークスタート時においても同様であるため、アークスタート時においてアークが不安定となり安定するまで時間がかかる。
【特許文献１】特開平９−１２２９１４号公報
【発明の開示】
【０００８】  本発明は、給電部−溶接対象物間距離が溶接現場で異なる場合でも、高品位溶接を可能とし、安定した溶接を実現する溶接装置である。本発明の溶接装置は溶接トーチと記憶部と電源部と入力部と選択部と制御部とを有する。溶接トーチは溶接ワイヤに給電するための給電部を有する溶接用チップを備える。記憶部は給電部から溶接対象物までの距離値と、溶接ワイヤの単位時間当たりの供給長さと単位時間当たりの供給重量と設定電流との少なくともいずれかとを対応付けた複数の溶接条件を記憶している。電源部は溶接ワイヤと溶接対象物との間に電力を供給する。入力部は給電部から溶接対象物までの距離の設定値の入力を受け付ける。選択部は設定値に基づいて、記憶部に記憶された複数の溶接条件のうちの１つを選択する。制御部は選択部が選択した溶接条件に基づいて電源部を制御する。
【０００９】  なお、記憶部は給電部−溶接対象物間距離と、溶接ワイヤの単位時間当たりの供給長さと単位時間当たりの供給重量との少なくともいずれかとを対応付ける演算式を記憶していてもよい。この場合、入力部は給電部−溶接対象物間距離の設定値の入力を受け付け、選択部は記憶部の演算式と入力された設定値に基づいて、溶接条件を演算する。
【００１０】  また溶接用チップが給電部よりも溶接対象物側に設けられ、溶接ワイヤを挿通するための貫通孔を設けられた絶縁部材を有する場合、以下のような構成でもよい。すなわち、記憶部は絶縁部材の貫通孔方向の長さ値と対応付けて複数の溶接条件を記憶する。入力部は絶縁部材の貫通孔方向の長さの設定値の入力を受け付ける。選択部は貫通孔方向の長さの設定値に基づき複数の溶接条件のうちの１つを選択する。
【００１１】  さらに、以下のような構成でもよい。すなわち、記憶部は溶接ワイヤの給電部からの突出長さ値と溶接用チップの識別情報との少なくともいずれかと対応付けて複数の溶接条件を記憶する。入力部は溶接ワイヤの給電部からの突出長さの設定値と溶接用チップの識別情報との少なくともいずれかの入力を受け付ける。選択部は溶接ワイヤの給電部からの突出長さの設定値と入力部から入力された溶接用チップの識別情報との少なくともいずれかに基づき、複数の前記溶接条件のうちの１つを選択する。
【００１２】  これらのいずれの構成でも、給電部から溶接対象物までの距離が変わっても、給電部から溶接対象物までの距離に応じた溶接条件で溶接を行うことができる。
【図面の簡単な説明】
【００１３】
【図１】図１は溶接電流の時間変化の一例を示す図である。
【図２】図２は本発明の実施の形態における溶接装置の概略構成図である。
【図３】図３は本発明の実施の形態におけるワイヤのねらい位置を示す図である。
【図４】図４は本発明の実施の形態における他の溶接用チップの概略構成を示す断面図である。
【図５】図５は図４に示す溶接用チップを用いた場合のワイヤのねらい位置を示す図である。
【図６】図６は図４に示す溶接用チップを用いた場合のワイヤのねらい位置を示す図である。
【符号の説明】
【００１４】１    溶接ユニット
２    電源部
３    入力部
４    記憶部
５    選択部
６    制御部
７    溶接トーチ
８，８Ａ    溶接用チップ
９    母材
１０    ワイヤ
１１    ワイヤ供給部
１２，１２Ａ，１２Ｂ    給電部−溶接対象物間距離
１３    外装
１４    給電部
１４Ａ，１５Ａ    貫通孔
１５    絶縁部材
【発明を実施するための最良の形態】
【００１５】  （実施の形態１）
本実施の形態の溶接装置の説明に先立ち、溶接用チップの給電部−溶接対象物間距離が異なる場合にはその距離に応じた溶接条件で溶接を行わなければならない理由を、図１、（表１）〜（表４）を用いて説明する。図１は溶接電流の時間変化の一例を示している。【００１６】
【表１】
2008108014.tif 000003
【００１７】  （表１）は軟鋼のＭＡＧ溶接で、ワイヤ直径１．２ｍｍ、給電部−溶接対象物間距離１５ｍｍの場合の溶接条件の設定値の例を示し、溶接電流を設定した場合の他の波形制御パラメータの設定値を示している。例えば、設定電流値として１５０Ａを設定すると、ワイヤ供給速度は４ｍ／分、溶接電圧の一元設定値は１６Ｖ、波形制御パラメータの一つである短絡期間中の電流第１傾斜は８０Ａ／ｍｓとなる。なお、電流第１傾斜は、図１に示すように短絡期間に電流制御を行って電流を上昇させる場合の傾きを示す。【００１８】  ここで、波形制御パラメータの総数は溶接装置毎に異なり、多い場合には数百項目に及ぶ。この全ての波形制御パラメータと前述の一元電圧値とは、溶接電流や溶接法等から最適になるように設定されている。これらは例えば１５０Ａで行う溶接で最適になるように設定されている。そして短絡期間中の電流第１傾斜にはスパッタ発生とアーク安定性とを両立する最適値が選定されている。【００１９】  なお、波形制御パラメータと一元電圧値は溶接電流１５０Ａで溶接するのに適して設定されているため、溶接電流の出力値が１５０Ａ近傍でなければ適正に溶接することはできない。【００２０】  また、溶接電流設定値とワイヤ供給速度とは給電部−溶接対象物間距離が１５ｍｍの場合の値である。これは給電部−溶接対象物間距離を１５ｍｍに設定した場合に溶接電流の出力値が１５０Ａとなるようにワイヤ供給速度を設定することを意味する。【００２１】
【表２】
2008108014.tif 000004
【００２２】  （表２）は（表１）で示す設定値の状態であって給電部−溶接対象物間距離１５ｍｍで溶接した場合の出力値を示している。出力電流は溶接電流設定値とほぼ同じであるため、いずれの条件でも良好なビード外観を得ることができ、アークスタートも良好で、スパッタ発生量も少ない。【００２３】
【表３】
2008108014.tif 000005
【００２４】  （表３）は（表１）で示す設定値の状態のまま給電部−溶接対象物間距離３０ｍｍで溶接した場合の出力値を示している。出力電流は設定値に対して４０〜６０Ａ低下している。この条件では給電部−溶接対象物間距離が長くなったにも関わらず溶接電圧がそのままなので溶接電圧が不足している。そのためいずれの条件でもアークスタートしてからアークが安定するまでに時間がかかり、その間はアーク状態が不安定である。また、波形制御パラメータの設定値が溶接出力電流に対して適正ではないため、スパッタ発生量は増加する。【００２５】
【表４】
2008108014.tif 000006
【００２６】  （表４）は給電部−溶接対象物間距離が３０ｍｍである場合の最適な溶接条件と波形制御パラメータとを作成した場合の出力値を示している。これらの条件では、溶接ビード外観は良好であり、スパッタ発生量も少なく、良好な溶接状態が得られる。このように、給電部−溶接対象物間距離に応じて最適な溶接条件を選定することで良好な溶接が可能となる。以上のように、給電部−溶接対象物間距離が異なる場合には、給電部−溶接対象物間距離に応じた溶接条件で溶接を行うことが望ましい。【００２７】  次に、本実施の形態の溶接装置について図面を用いて説明する。【００２８】  図２は本実施の形態におけるアーク溶接装置の概略構成図である。図３は溶接対象物である母材９と消耗電極としての溶接用のワイヤ１０とが接触する部分の拡大図である。溶接ユニット１は、電源部２と入力部３と記憶部４と選択部５と制御部６と溶接トーチ７とワイヤ供給部１１とを有する。【００２９】  電源部２はワイヤ１０と母材９との間に電力を供給する。入力部３は給電部１４−母材９間の距離（給電部−溶接対象物間距離１２）の設定値の入力を受け付ける。記憶部４は複数の溶接条件を記憶する。選択部５は記憶部４に記憶された溶接条件の中から１つの溶接条件を選択する。制御部６は選択部５が選択した溶接条件に基づいて電源部２を制御する。【００３０】  溶接トーチ７は溶接用チップ８を有する。溶接用チップ８は給電部１４を有し、電源部２の出力の一端と電気的に接続されている。給電部１４は溶接用チップ８の構成部材であってワイヤ１０を挿通する貫通孔１４Ａを有しておりワイヤ１０に電力を供給する。母材９は電源部２の出力の他端と電気的に接続されている。ワイヤ供給部１１はワイヤ１０を供給する。【００３１】  以上のように構成されたアーク溶接装置について、その動作を説明する。記憶部４は異なる給電部−溶接対象物間距離１２の値に応じた溶接条件を複数記憶している。ここで溶接条件は少なくともワイヤ１０の供給速度や一元電圧の条件値を含んでいる。これ以外に溶接条件は給電部１４の設定電圧、設定電流や、シールドガスの種類、ワイヤ１０の種類や直径などを含んでいてもよい。またワイヤ１０の供給速度に代わってワイヤ１０の単位時間当たりの供給重量を含んでいてもよい。すなわち、記憶部４は給電部４から溶接対象物である母材９までの距離値と、ワイヤ１０の単位時間当たりの供給長さと単位時間当たりの供給重量と設定電流との少なくともいずれかとを対応付けて複数の溶接条件を記憶している。【００３２】  選択部５は入力部３から入力された給電部−溶接対象物間距離１２の設定値に応じた溶接条件を記憶部４から選択して呼び出す。これにより、設定された溶接電流に応じて適正なワイヤ１０の供給速度、一元電圧等の多くの波形制御パラメータが設定される。そして、選択部５が選択した溶接条件に基づいて制御部６が電源部２を制御することにより、良好な溶接が行われる。【００３３】  以上のように、本実施の形態の溶接装置では、異なる給電部−溶接対象物間距離１２の値に応じて最適な溶接条件を記憶部４が記憶しており、選択部５が入力された給電部−溶接対象物間距離１２の設定値に基づいて溶接条件を選択する。その��め溶接現場で給電部−溶接対象物間距離１２が種々異なる場合でも、異なる溶接装置を用いることなく１つの溶接装置で良好な溶接を行うことが可能である。すなわち１つの溶接装置で良好なビード外観を実現し、スパッタ発生量の少ない高品位溶接を行うことができる。【００３４】  なお、本実施の形態は一例であり、上記の溶接条件の設定は溶接電流設定値を基にした例を示したが、これに限るものではなく、ワイヤ１０の供給速度を基にして溶接条件を設定するようにしてもよい。【００３５】  また、本実施の形態では、選択部５や制御部６等、各構成部が個別に設けられている例を示したが、この構成に限定されない。例えば、選択と制御といった複数の機能を１つの構成部で行うようにしても良く、このような複数の機能を有する構成部を用いて溶接装置を構成してもよい。【００３６】  次に、溶接用チップ８の給電部先端部分から母材９の表面部分までのワイヤ１０の供給方向の距離である給電部−溶接対象物間距離１２の影響について、図３を用いて説明する。【００３７】  給電部−溶接対象物間距離１２が図中左側の給電部−溶接対象物間距離１２Ａから図中右側の給電部−溶接対象物間距離１２Ｂのように長くなると、ワイヤ１０の先端の位置が給電部１４の貫通孔１４Ａの下方からずれる。このように、ワイヤ１０の先端位置がずれることにより溶接する位置がずれる。また図示しないノズルとシールドガスによるシールド性も低下し、アークが不安定になる。したがって、給電部−溶接対象物間距離１２をあまり長くしないことが一般的である。また、一般的には給電部−溶接対象物間距離１２を種々変更することもなく、給電部−溶接対象物間距離１２の設定値を１つ設定した上で波形制御パラメータ値が選定される。【００３８】  しかしながら、図４の断面図に示す溶接用チップ８Ａを用いると上記のようにねらい位置のずれやシールド性の低下等の不都合を抑制することが可能となる。溶接用チップ８Ａは給電部１４と絶縁部材１５と外装１３とで構成されている。給電部１４はワイヤ１０を挿通する貫通孔１４Ａを有し、ワイヤ１０に電力を供給する。絶縁部材１５はワイヤ１０を挿通する貫通孔１５Ａを有し、給電部１４よりも溶接対象物である母材９の側に設けられている。外装１３は例えば絶縁樹脂あるいは金属からなり、給電部１４と絶縁部材１５とを覆っている。給電部１４と絶縁部材１５との機械的な接合が充分であれば外装１３は設けなくてもよい。【００３９】  溶接用チップ８Ａを用いて給電部−溶接対象物間距離１２が変化したときのワイヤ１０の先端位置への影響について図５、図６を用いて説明する。図５、図６は溶接用チップ８Ａを用いた場合と用いない場合の、ワイヤ１０のねらい位置を示す図である。【００４０】  溶接用チップ８Ａでは絶縁部材１５がワイヤ１０のガイドとして機能する。そのため図５に示すように、溶接用チップ８Ａを配置すれば、図３における給電部−溶接対象物間距離１２Ａより長い給電部−溶接対象物間距離１２Ｂを設けても、ねらい位置が大きくずれることがない。またシールドガスによるシールド性も低下しない。【００４１】  一方、図６に示すように溶接用チップ８Ａを配置すれば、ねらい位置の精度が同じであっても、給���部−溶接対象物間距離１２Ａより長い給電部−溶接対象物間距離１２Ｂを設けることができる。なお、給電部−溶接対象物間距離１２が長いほどワイヤ１０に流れる電流による抵抗発熱が大きくなる。そのためワイヤ１０が溶けやすくなり、深い溶け込み、幅の広いビードを得ることができるとともに溶接速度を高速化することができる。【００４２】  また絶縁部材１５の貫通孔１５Ａの方向の長さを種々替えることにより給電部−溶接対象物間距離１２を変更させることが可能である。このように、溶接性にあわせて種々の溶接用チップ８Ａを使い分けることが可能である。その場合、給電部−溶接対象物間距離１２が種々変わるが、本実施の形態の溶接装置は、異なる給電部−溶接対象物間距離１２の値に応じて最適な溶接条件を複数搭載している。そのため給電部−溶接対象物間距離１２の設定値に基づいて適切な溶接条件の選択が可能であり非常に有用である。【００４３】  また、上記のように、絶縁部材１５の長さによって給電部−溶接対象物間距離１２の設定値を変更できる。そのため、給電部−溶接対象物間距離１２の値に替えてあるいは加えて、絶縁部材１５の貫通孔１５Ａ方向の長さに対応付けて記憶部４が複数の溶接条件を記憶するようにしてもよい。この場合、入力部３は絶縁部材１５の貫通孔１５Ａ方向の長さの設定値の入力をさらに受け付ける。そして選択部５は貫通孔１５Ａ方向の長さの設定値に基づき複数の溶接条件のうちの１つを選択する。このように構成してもよい。【００４４】  あるいは、絶縁部材１５の有無や絶縁部材１５の長さにより型番や製品コードといった識別情報の異なる種々の溶接用チップ８Ａを用意し交換することもできる。この場合、給電部−溶接対象物間距離１２の値に替えてあるいは加えて、溶接用チップ８Ａの識別情報に対応付けて記憶部４が複数の溶接条件を記憶するようにしてもよい。また、絶縁部材１５を有さない溶接用チップ８では特に、給電部−溶接対象物間距離１２の変化によりワイヤ１０の突出長さも変わることが一般的である。そのため給電部−溶接対象物間距離１２の値に替えてあるいは加えて、ワイヤ１０の突出長さの値に対応付けて記憶部４が複数の溶接条件を記憶するようにしてもよい。【００４５】  このように記憶部４がワイヤ１０の給電部１４からの突出長さ値と溶接用チップ８Ａの識別情報との少なくともいずれかを複数の前記溶接条件に対応付けて記憶してもよい。この場合、入力部３はワイヤ１０の給電部１４からの突出長さの設定値と溶接用チップ８Ａの識別情報との少なくともいずれかの入力を受け付ける。そして選択部５は入力部から入力されたワイヤ１０の給電部１４からの突出長さの設定値と溶接用チップ８Ａの識別情報との少なくともいずれかに基づき複数の前記溶接条件のうちの１つを選択する。このように構成してもよい。【００４６】  次に、記憶部４内に格納されている給電部−溶接対象物間距離１２の値に、入力部３により入力された給電部−溶接対象物間距離１２の設定値と一致するものがない場合の制御について説明する。【００４７】  このような場合、選択部５は給電部−溶接対象物間距離１２の設定値との差が最も小さい距離値に対応する溶接条件を選択する。例えば、給電部−溶接対象物���距離１２の値が１５ｍｍの場合と２０ｍｍの場合の各々に対応した溶接条件が記憶部４に記憶されていると仮定する。そして入力部３により給電部−溶接対象物間距離１２の設定値として１９ｍｍが入力されると、選択部５は入力された１９ｍｍと記憶されている１５ｍｍと２０ｍｍとの差を求める。そして選択部５は、２０ｍｍの方が差は少ないと判断し、給電部−溶接対象物間距離１２の値が２０ｍｍである場合に対応した溶接条件を選択して制御部６に出力する。【００４８】  以上のように、記憶部４内に格納されている複数の溶接条件に対応する距離値のいずれとも入力部３により入力された設定値が異なる場合がある。このような場合、選択部５はこれらの距離値のうち設定値に対して最も差が小さい距離値に対応する溶接条件を選択する。この選択によって制御部６は適した溶接条件を決定して溶接を行うことができる。【００４９】  次に記憶部４の異なる構成について説明する。以上の説明では記憶部４は複数の溶接条件を記憶している。それに代わって、実験等から予め求めた各々の波形制御パラメータと少なくとも給電部−溶接対象物間の距離値との関係式（演算式）を記憶部４が記憶する。そして、入力部３により入力された給電部−溶接対象物間距離１２の設定値に基づいて選択部５が種々の波形制御パラメータを算出し溶接条件を演算して制御部６に出力する。この溶接条件に基づき制御部６が電源部２を制御する。なお、溶接条件はワイヤ１０の単位時間当たりの供給長さと単位時間当たりの供給重量との少なくともいずれかを含んでいることが望ましい。【００５０】  このような構成では、種々の給電部−溶接対象物間距離１２の値に対応した溶接条件テーブルを記憶部４が記憶する必要がなく記憶容量を少なくすることができる。また、演算を行って溶接条件を求めることができるので、種々の給電部−溶接対象物間距離１２の設定値に適した溶接条件を求めて最適な溶接を行うことができる。なお記憶部４が複数の溶接条件と演算式と両方を記憶していて、状況に応じて使い分けてもよい。
【産業上の利用可能性】
【００５１】  本発明のアーク溶接装置は、溶接用チップの給電部から溶接対象物までの距離が変わる場合でも、溶接用チップの給電部から溶接対象物までの距離に応じた溶接条件で溶接を行うことができる。そのため、高品位溶接を可能とし、安定した溶接を実現することができる。特に、消耗電極を自動供給し消耗電極と溶接対象物との間にアークを発生させて溶接を行う溶接装置として産業上有用である。
【図１】
2008108014.tif 000007
【図２】
2008108014.tif 000008
【図３】
2008108014.tif 000009
【図４】
2008108014.tif 000010
【図５】
2008108014.tif 000011
【図６】
2008108014.tif 000012
【手続補正書】
【提出日】平成19年11月27日(2007.11.27)
【手続補正１】
【補正対象書類名】特許請求の範囲
【補正対象項目名】全文
【補正方法】変更
【補正の内容】
【特許請求の範囲】
【請求項１】
溶接用のワイヤに給電するための給電部を有する溶接用チップを備えた溶接トーチと、
前記給電部から溶接対象物までの距離値と、前記ワイヤの単位時間当たりの供給長さと単位時間当たりの供給重量と設定電流との少なくともいずれかと対応付けた複数の溶接条件を記憶する記憶部と、
前記ワイヤと前記溶接対象物との間に電力を供給する電源部と、
前記給電部から溶接対象物までの距離の設定値の入力を受け付ける入力部と、
前記設定値に基づいて、前記記憶部に記憶された複数の前記溶接条件のうちの１つを選択する選択部と、
前記選択部が選択した溶接条件に基づいて前記電源部を制御する制御部と、を備えた、
溶接装置。
【請求項２】
複数の前記溶接条件に対応する前記距離値のいずれとも前記設定値が異なる場合、前記選択部は、前記距離値のうち前記設定値に対して最も差が小さい距離値に対応する溶接条件を選択する、
請求項１記載の溶接装置。
【請求項３】
前記記憶部は、前記距離値から溶接条件を演算するための演算式をさらに記憶し、前記選択部は前記演算式と前記設定値に基づいて、溶接条件を演算して前記制御部に出力する、
請求項１記載の溶接装置。
【請求項４】
前記溶接用チップは、前記給電部よりも前記溶接対象物側に設けられ、前記ワイヤを挿通するための貫通孔を有する絶縁部材をさらに有する、
請求項１記載の溶接装置。
【請求項５】
前記記憶部はさらに、前記絶縁部材の前記貫通孔の方向の長さ値を複数の前記溶接条件に対応付けて記憶し、
前記入力部は前記絶縁部材の前記貫通孔方向の長さの設定値の入力をさらに受け付け、
前記選択部は前記貫通孔方向の長さの前記設定値に基づき複数の前記溶接条件のうちの１つを選択する、
請求項４記載の溶接装置。
【請求項６】
前記記憶部はさらに、前記ワイヤの前記給電部からの突出長さ値と前記溶接用チップの識別情報との少なくともいずれかを複数の前記溶接条件に対応付けて記憶し、
前記入力部は前記ワイヤの前記給電部からの突出長さの設定値と前記溶接用チップの識別情報との少なくともいずれかの入力をさらに受け付け、
前記選択部は前記ワイヤの前記給電部からの突出長さの設定値と前記入力部から入力された前記溶接用チップの識別情報との少なくともいずれかに基づき複数の前記溶接条件のうちの１つを選択する、
請求項１記載の溶接装置。
【請求項７】
溶接用のワイヤに給電するための給電部を有する溶接用チップを備えた溶接トーチと、
前記給電部から溶接対象物までの距離値から溶接条件を演算するための演算式を記憶する記憶部と、
前記ワイヤと前記溶接対象物との間に電力を供給する電源部と、
前記給電部から溶接対象物までの距離の設定値の入力を受け付ける入力部と、
前記演算式と前記設定値に基づいて、溶接条件を演算する選択部と、
前記選択部が演算した溶接条件に基づいて前記電源部を制御する制御部と、を備えた、
溶接装置。
【請求項８】
溶接用のワイヤに給電するための給電部と、前記給電部よりも前記溶接対象物側に設けられ、前記ワイヤを挿通するための貫通孔を設けられた絶縁部材と、を有する溶接用チップを備えた溶接トーチと、
前記絶縁部材の前記貫通孔方向の長さ値と対応付けた複数の溶接条件を記憶する記憶部と、
前記ワイヤと前記溶接対象物との間に電力を供給する電源部と、
前記絶縁部材の前記貫通孔の方向の長さの設定値の入力を受け付ける入力部と、
前記貫通孔方向の長さの前記設定値に基づき複数の前記溶接条件のうちの１つを選択する選択部と、
前記選択部が選択した溶接条件に基づいて前記電源部を制御する制御部と、を備えた、
溶接装置。
【請求項９】
ワイヤに給電するための給電部を有する溶接用チップを備えた溶接トーチと、
前記ワイヤの前記給電部からの突出長さ値と前記溶接用チップの識別情報との少なくともいずれかと対応付けた複数の溶接条件を記憶する記憶部と、
前記ワイヤと前記溶接対象物との間に電力を供給する電源部と、
前記ワイヤの前記給電部からの突出長さの設定値と前記溶接用チップの識別情報との少なくともいずれかの入力を受け付ける入力部と、
前記ワイヤの前記給電部からの突出長さの設定値と前記入力部から入力された前記溶接用チップの識別情報との少なくともいずれかに基づき、複数の前記溶接条件のうちの１つを選択する選択部と、
前記選択部が選択した溶接条件に基づいて前記電源部を制御する制御部と、を備えた、
溶接装置。
【手続補正２】
【補正対象書類名】明細書
【補正対象項目名】全文
【補正方法】変更
【補正の内容】
【発明の詳細な説明】
【技術分野】
【０００１】
本発明は、主に、消耗電極（以下、ワイヤと称す）を自動的に送って供給し、ワイヤと溶接対象物（以下、母材と称す）との間にアークを発生させて溶接を行う溶接装置に関する。
【背景技術】
【０００２】
近年、溶接業界では生産性向上のために溶接の高速化やスパッタの低減に対する要求が高まっている。溶接速度を高速化すれば時間当たりの生産数が増加する。一方、スパッタを低減すればワークに付着したスパッタを除去する後処理工程を削減できる。これらにより高品位溶接が安定して行われれば溶接生産性が向上する。
【０００３】
従来の溶接装置では、高品位溶接の安定性向上のため溶接条件毎に数百種類にも及ぶ数多くの波形制御パラメータを非常に緻密に制御している。この波形制御パラメータは、溶接条件毎に適正値が存在している。したがって、種々の溶接条件を設定することにより、溶接装置内のデータ記憶部に記憶されている溶接条件テーブルから適正な波形制御値を読み出して波形を制御している。ここで溶接条件は、例えば、ワイヤ径、シールドガス種類、溶接法、溶接電流値あるいは単位時間当たりのワイヤ供給長さ（以下、供給速度）を含む。このような技術は例えば特許文献１に開示されている。
【０００４】
ただし、溶接用チップの給電部から溶接対象物までの距離（以下、給電部−溶接対象物間距離と称す）は、溶接現場において作業者が任意に設定する。給電部−溶接対象物間距離は波形制御パラメータを選定する上で重要な因子である。したがって、溶接機器メーカでは、メーカ毎に一般的な給電部−溶接対象物間距離を１つ設定した上で波形制御パラメータ値を選定し、溶接条件の中に格納するのが一般的である。
【０００５】
しかしながら、例えば、溶接現場において母材の溶接部と溶接冶具とが接近していると、溶接冶具と溶接用トーチが干渉する（当たる）場合がある。この場合、相互の干渉を避けるため溶接用トーチを母材から放さなければならない。すると、実際の給電部−溶接対象物間距離が、設定した値より長くなることがある。また、溶接される母材と母材との間に隙間が介在するような場合、溶接ねらい位置のズレを極力少なくする必要がある。このような場合には、実際の給電部−溶接対象物間距離が、設定した値より短くなることがある。
【０００６】
これらの場合、溶接条件設定は変更せず、給電部−溶接対象物間距離だけが変わる。軟鋼やステンレス等の抵抗値が高い材質の溶接ワイヤでは、給電部−溶接対象物間距離が変わると溶接出力経路の抵抗値が大きく変わる。このためワイヤ供給速度は変わらないが、出力電流や適正な溶接電圧が変わるため、適正な溶接が行えなくなる。なぜなら、溶接波形パラメータはワイヤ供給速度毎あるいは溶接電流の設定値毎に関連付けて設定されているからである。例えば、実際の給電部−溶接対象物間距離が設定値より大きい場合、出力溶接電流は下がり、電流が低くなったにも関わらず波形制御パラメータはそのままであるためスパッタが増加する。また、長くなった突出し長さ分の電圧が加算されないので溶接電圧が不足し、アークが不安定になる。
【０００７】
また、適正な溶接が行えないのは、主溶接時間帯だけでなく、アークスタート時においても同様であるため、アークスタート時においてアークが不安定となり安定するまで時間がかかる。
【特許文献１】特開平９−１２２９１４号公報
【発明の開示】
【０００８】
本発明は、給電部−溶接対象物間距離が溶接現場で異なる場合でも、高品位溶接を可能とし、安定した溶接を実現する溶接装置である。本発明の溶接装置は溶接トーチと記憶部と電源部と入力部と選択部と制御部とを有する。溶接トーチは溶接ワイヤに給電するための給電部を有する溶接用チップを備える。記憶部は給電部から溶接対象物までの距離値と、溶接ワイヤの単位時間当たりの供給長さと単位時間当たりの供給重量と設定電流との少なくともいずれかとを対応付けた複数の溶接条件を記憶している。電源部は溶接ワイヤと溶接対象物との間に電力を供給する。入力部は給電部から溶接対象物までの距離の設定値の入力を受け付ける。選択部は設定値に基づいて、記憶部に記憶された複数の溶接条件のうちの１つを選択する。制御部は選択部が選択した溶接条件に基づいて電源部を制御する。
【０００９】
なお、記憶部は給電部−溶接対象物間距離と、溶接ワイヤの単位時間当たりの供給長さと単位時間当たりの供給重量との少なくともいずれかとを対応付ける演算式を記憶していてもよい。この場合、入力部は給電部−溶接対象物間距離の設定値の入力を受け付け、選択部は記憶部の演算式と入力された設定値に基づいて、溶接条件を演算する。
【００１０】
また溶接用チップが給電部よりも溶接対象物側に設けられ、溶接ワイヤを挿通するための貫通孔を設けられた絶縁部材を有する場合、以下のような構成でもよい。すなわち、記憶部は絶縁部材の貫通孔方向の長さ値と対応付けて複数の溶接条件を記憶する。入力部は絶縁部材の貫通孔方向の長さの設定値の入力を受け付ける。選択部は貫通孔方向の長さの設定値に基づき複数の溶接条件のうちの１つを選択する。
【００１１】
さらに、以下のような構成でもよい。すなわち、記憶部は溶接ワイヤの給電部からの突出長さ値と溶接用チップの識別情報との少なくともいずれかと対応付けて複数の溶接条件を記憶する。入力部は溶接ワイヤの給電部からの突出長さの設定値と溶接用チップの識別情報との少なくともいずれかの入力を受け付ける。選択部は溶接ワイヤの給電部からの突出長さの設定値と入力部から入力された溶接用チップの識別情報との少なくともいずれかに基づき、複数の前記溶接条件のうちの１つを選択する。
【００１２】
これらのいずれの構成でも、給電部から溶接対象物までの距離が変わっても、給電部から溶接対象物までの距離に応じた溶接条件で溶接を行うことができる。
【発明を実施するための最良の形態】
【００１３】
（実施の形態１）
本実施の形態の溶接装置の説明に先立ち、溶接用チップの給電部−溶接対象物間距離が異なる場合にはその距離に応じた溶接条件で溶接を行わなければならない理由を、図１、（表１）〜（表４）を用いて説明する。図１は溶接電流の時間変化の一例を示している。
【００１４】
【表１】
2008108014.tif 000013
【００１５】
（表１）は軟鋼のＭＡＧ溶接で、ワイヤ直径１．２ｍｍ、給電部−溶接対象物間距離１５ｍｍの場合の溶接条件の設定値の例を示し、溶接電流を設定した場合の他の波形制御パラメータの設定値を示している。例えば、設定電流値として１５０Ａを設定すると、ワイヤ供給速度は４ｍ／分、溶接電圧の一元設定値は１６Ｖ、波形制御パラメータの一つである短絡期間中の電流第１傾斜は８０Ａ／ｍｓとなる。なお、電流第１傾斜は、図１に示すように短絡期間に電流制御を行って電流を上昇させる場合の傾きを示す。
【００１６】
ここで、波形制御パラメータの総数は溶接装置毎に異なり、多い場合には数百項目に及ぶ。この全ての波形制御パラメータと前述の一元電圧値とは、溶接電流や溶接法等から最適になるように設定されている。これらは例えば１５０Ａで行う溶接で最適になるように設定されている。そして短絡期間中の電流第１傾斜にはスパッタ発生とアーク安定性とを両立する最適値が選定されている。
【００１７】
なお、波形制御パラメータと一元電圧値は溶接電流１５０Ａで溶接するのに適して設定されているため、溶接電流の出力値が１５０Ａ近傍でなければ適正に溶接することはできない。
【００１８】
また、溶接電流設定値とワイヤ供給速度とは給電部−溶接対象物間距離が１５ｍｍの場合の値である。これは給電部−溶接対象物間距離を１５ｍｍに設定した場合に溶接電流の出力値が１５０Ａとなるようにワイヤ供給速度を設定することを意味する。
【００１９】
【表２】
2008108014.tif 000014
【００２０】
（表２）は（表１）で示す設定値の状態であって給電部−溶接対象物間距離１５ｍｍで溶接した場合の出力値を示している。出力電流は溶接電流設定値とほぼ同じであるため、いずれの条件でも良好なビード外観を得ることができ、アークスタートも良好で、スパッタ発生量も少ない。
【００２１】
【表３】
2008108014.tif 000015
【００２２】
（表３）は（表１）で示す設定値の状態のまま給電部−溶接対象物間距離３０ｍｍで溶接した場合の出力値を示している。出力電流は設定値に対して４０〜６０Ａ低下している。この条件では給電部−溶接対象物間距離が長くなったにも関わらず溶接電圧がそのままなので溶接電圧が不足している。そのためいずれの条件でもアークスタートしてからアークが安定するまでに時間がかかり、その間はアーク状態が不安定である。また、波形制御パラメータの設定値が溶接出力電流に対して適正ではないため、スパッタ発生量は増加する。
【００２３】
【表４】
2008108014.tif 000016
【００２４】
（表４）は給電部−溶接対象物間距離が３０ｍｍである場合の最適な溶接条件と波形制御パラメータとを作成した場合の出力値を示している。これらの条件では、溶接ビード外観は良好であり、スパッタ発生量も少なく、良好な溶接状態が得られる。このように、給電部−溶接対象物間距離に応じて最適な溶接条件を選定することで良好な溶接が可能となる。以上のように、給電部−溶接対象物間距離が異なる場合には、給電部−溶接対象物間距離に応じた溶接条件で溶接を行うことが望ましい。
【００２５】
次に、本実施の形態の溶接装置について図面を用いて説明する。
【００２６】
図２は本実施の形態におけるアーク溶接装置の概略構成図である。図３は溶接対象物である母材９と消耗電極としての溶接用のワイヤ１０とが接触する部分の拡大図である。溶接ユニット１は、電源部２と入力部３と記憶部４と選択部５と制御部６と溶接トーチ７とワイヤ供給部１１とを有する。
【００２７】
電源部２はワイヤ１０と母材９との間に電力を供給する。入力部３は給電部１４−母材９間の距離（給電部−溶接対象物間距離１２）の設定値の入力を受け付ける。記憶部４は複数の溶接条件を記憶する。選択部５は記憶部４に記憶された溶接条件の中から１つの溶接条件を選択する。制御部６は選択部５が選択した溶接条件に基づいて電源部２を制御する。
【００２８】
溶接トーチ７は溶接用チップ８を有する。溶接用チップ８は給電部１４を有し、電源部２の出力の一端と電気的に接続されている。給電部１４は溶接用チップ８の構成部材であってワイヤ１０を挿通する貫通孔１４Ａを有しておりワイヤ１０に電力を供給する。母材９は電源部２の出力の他端と電気的に接続されている。ワイヤ供給部１１はワイヤ１０を供給する。
【００２９】
以上のように構成されたアーク溶接装置について、その動作を説明する。記憶部４は異なる給電部−溶接対象物間距離１２の値に応じた溶接条件を複数記憶している。ここで溶接条件は少なくともワイヤ１０の供給速度や一元電圧の条件値を含んでいる。これ以外に溶接条件は給電部１４の設定電圧、設定電流や、シールドガスの種類、ワイヤ１０の種類や直径などを含んでいてもよい。またワイヤ１０の供給速度に代わってワイヤ１０の単位時間当たりの供給重量を含んでいてもよい。すなわち、記憶部４は給電部４から溶接対象物である母材９までの距離値と、ワイヤ１０の単位時間当たりの供給長さと単位時間当たりの供給重量と設定電流との少なくともいずれかとを対応付けて複数の溶接条件を記憶している。
【００３０】
選択部５は入力部３から入力された給電部−溶接対象物間距離１２の設定値に応じた溶接条件を記憶部４から選択して呼び出す。これにより、設定された溶接電流に応じて適正なワイヤ１０の供給速度、一元電圧等の多くの波形制御パラメータが設定される。そして、選択部５が選択した溶接条件に基づいて制御部６が電源部２を制御することにより、良好な溶接が行われる。
【００３１】
以上のように、本実施の形態の溶接装置では、異なる給電部−溶接対象物間距離１２の値に応じて最適な溶接条件を記憶部４が記憶しており、選択部５が入力された給電部−溶接対象物間距離１２の設定値に基づいて溶接条件を選択する。そのため溶接現場で給電部−溶接対象物間距離１２が種々異なる場合でも、異なる溶接装置を用いることなく１つの溶接装置で良好な溶接を行うことが可能である。すなわち１つの溶接装置で良好なビード外観を実現し、スパッタ発生量の少ない高品位溶接を行うことができる。
【００３２】
なお、本実施の形態は一例であり、上記の溶接条件の設定は溶接電流設定値を基にした例を示したが、これに限るものではなく、ワイヤ１０の供給速度を基にして溶接条件を設定するようにしてもよい。
【００３３】
また、本実施の形態では、選択部５や制御部６等、各構成部が個別に設けられている例を示したが、この構成に限定されない。例えば、選択と制御といった複数の機能を１つの構成部で行うようにしても良く、このような複数の機能を有する構成部を用いて溶接装置を構成してもよい。
【００３４】
次に、溶接用チップ８の給電部先端部分から母材９の表面部分までのワイヤ１０の供給方向の距離である給電部−溶接対象物間距離１２の影響について、図３を用いて説明する。
【００３５】
給電部−溶接対象物間距離１２が図中左側の給電部−溶接対象物間距離１２Ａから図中右側の給電部−溶接対象物間距離１２Ｂのように長くなると、ワイヤ１０の先端の位置が給電部１４の貫通孔１４Ａの下方からずれる。このように、ワイヤ１０の先端位置がずれることにより溶接する位置がずれる。また図示しないノズルとシールドガスによるシールド性も低下し、アークが不安定になる。したがって、給電部−溶接対象物間距離１２をあまり長くしないことが一般的である。また、一般的には給電部−溶接対象物間距離１２を種々変更することもなく、給電部−溶接対象物間距離１２の設定値を１つ設定した上で波形制御パラメータ値が選定される。
【００３６】
しかしながら、図４の断面図に示す溶接用チップ８Ａを用いると上記のようにねらい位置のずれやシールド性の低下等の不都合を抑制することが可能となる。溶接用チップ８Ａは給電部１４と絶縁部材１５と外装１３とで構成されている。給電部１４はワイヤ１０を挿通する貫通孔１４Ａを有し、ワイヤ１０に電力を供給する。絶縁部材１５はワイヤ１０を挿通する貫通孔１５Ａを有し、給電部１４よりも溶接対象物である母材９の側に設けられている。外装１３は例えば絶縁樹脂あるいは金属からなり、給電部１４と絶縁部材１５とを覆っている。給電部１４と絶縁部材１５との機械的な接合が充分であれば外装１３は設けなくてもよい。
【００３７】
溶接用チップ８Ａを用いて給電部−溶接対象物間距離１２が変化したときのワイヤ１０の先端位置への影響について図５、図６を用いて説明する。図５、図６は溶接用チップ８Ａを用いた場合と用いない場合の、ワイヤ１０のねらい位置を示す図である。
【００３８】
溶接用チップ８Ａでは絶縁部材１５がワイヤ１０のガイドとして機能する。そのため図５に示すように、溶接用チップ８Ａを配置すれば、図３における給電部−溶接対象物間距離１２Ａより長い給電部−溶接対象物間距離１２Ｂを設けても、ねらい位置が大きくずれることがない。またシールドガスによるシールド性も低下しない。
【００３９】
一方、図６に示すように溶接用チップ８Ａを配置すれば、ねらい位置の精度が同じであっても、給電部−溶接対象物間距離１２Ａより長い給電部−溶接対象物間距離１２Ｂを設けることができる。なお、給電部−溶接対象物間距離１２が長いほどワイヤ１０に流れる電流による抵抗発熱が大きくなる。そのためワイヤ１０が溶けやすくなり、深い溶け込み、幅の広いビードを得ることができるとともに溶接速度を高速化することができる。
【００４０】
また絶縁部材１５の貫通孔１５Ａの方向の長さを種々替えることにより給電部−溶接対象物間距離１２を変更させることが可能である。このように、溶接性にあわせて種々の溶接用チップ８Ａを使い分けることが可能である。その場合、給電部−溶接対象物間距離１２が種々変わるが、本実施の形態の溶接装置は、異なる給電部−溶接対象物間距離１２の値に応じて最適な溶接条件を複数搭載している。そのため給電部−溶接対象物間距離１２の設定値に基づいて適切な溶接条件の選択が可能であり非常に有用である。
【００４１】
また、上記のように、絶縁部材１５の長さによって給電部−溶接対象物間距離１２の設定値を変更できる。そのため、給電部−溶接対象物間距離１２の値に替えてあるいは加えて、絶縁部材１５の貫通孔１５Ａ方向の長さに対応付けて記憶部４が複数の溶接条件を記憶するようにしてもよい。この場合、入力部３は絶縁部材１５の貫通孔１５Ａ方向の長さの設定値の入力をさらに受け付ける。そして選択部５は貫通孔１５Ａ方向の長さの設定値に基づき複数の溶接条件のうちの１つを選択する。このように構成してもよい。
【００４２】
あるいは、絶縁部材１５の有無や絶縁部材１５の長さにより型番や製品コードといった識別情報の異なる種々の溶接用チップ８Ａを用意し交換することもできる。この場合、給電部−溶接対象物間距離１２の値に替えてあるいは加えて、溶接用チップ８Ａの識別情報に対応付けて記憶部４が複数の溶接条件を記憶するようにしてもよい。また、絶縁部材１５を有さない溶接用チップ８では特に、給電部−溶接対象物間距離１２の変化によりワイヤ１０の突出長さも変わることが一般的である。そのため給電部−溶接対象物間距離１２の値に替えてあるいは加えて、ワイヤ１０の突出長さの値に対応付けて記憶部４が複数の溶接条件を記憶するようにしてもよい。
【００４３】
このように記憶部４がワイヤ１０の給電部１４からの突出長さ値と溶接用チップ８Ａの識別情報との少なくともいずれかを複数の前記溶接条件に対応付けて記憶してもよい。この場合、入力部３はワイヤ１０の給電部１４からの突出長さの設定値と溶接用チップ８Ａの識別情報との少なくともいずれかの入力を受け付ける。そして選択部５は入力部から入力されたワイヤ１０の給電部１４からの突出長さの設定値と溶接用チップ８Ａの識別情報との少なくともいずれかに基づき複数の前記溶接条件のうちの１つを選択する。このように構成してもよい。
【００４４】
次に、記憶部４内に格納されている給電部−溶接対象物間距離１２の値に、入力部３により入力された給電部−溶接対象物間距離１２の設定値と一致するものがない場合の制御について説明する。
【００４５】
このような場合、選択部５は給電部−溶接対象物間距離１２の設定値との差が最も小さい距離値に対応する溶接条件を選択する。例えば、給電部−溶接対象物間距離１２の値が１５ｍｍの場合と２０ｍｍの場合の各々に対応した溶接条件が記憶部４に記憶されていると仮定する。そして入力部３により給電部−溶接対象物間距離１２の設定値として１９ｍｍが入力されると、選択部５は入力された１９ｍｍと記憶されている１５ｍｍと２０ｍｍとの差を求める。そして選択部５は、２０ｍｍの方が差は少ないと判断し、給電部−溶接対象物間距離１２の値が２０ｍｍである場合に対応した溶接条件を選択して制御部６に出力する。
【００４６】
以上のように、記憶部４内に格納されている複数の溶接条件に対応する距離値のいずれとも入力部３により入力された設定値が異なる場合がある。このような場合、選択部５はこれらの距離値のうち設定値に対して最も差が小さい距離値に対応する溶接条件を選択する。この選択によって制御部６は適した溶接条件を決定して溶接を行うことができる。
【００４７】
次に記憶部４の異なる構成について説明する。以上の説明では記憶部４は複数の溶接条件を記憶している。それに代わって、実験等から予め求めた各々の波形制御パラメータと少なくとも給電部−溶接対象物間の距離値との関係式（演算式）を記憶部４が記憶する。そして、入力部３により入力された給電部−溶接対象物間距離１２の設定値に基づいて選択部５が種々の波形制御パラメータを算出し溶接条件を演算して制御部６に出力する。この溶接条件に基づき制御部６が電源部２を制御する。なお、溶接条件はワイヤ１０の単位時間当たりの供給長さと単位時間当たりの供給重量との少なくともいずれかを含んでいることが望ましい。
【００４８】
このような構成では、種々の給電部−溶接対象物間距離１２の値に対応した溶接条件テーブルを記憶部４が記憶する必要がなく記憶容量を少なくすることができる。また、演算を行って溶接条件を求めることができるので、種々の給電部−溶接対象物間距離１２の設定値に適した溶接条件を求めて最適な溶接を行うことができる。なお記憶部４が複数の溶接条件と演算式と両方を記憶していて、状況に応じて使い分けてもよい。
【産業上の利用可能性】
【００４９】
本発明のアーク溶接装置は、溶接用チップの給電部から溶接対象物までの距離が変わる場合でも、溶接用チップの給電部から溶接対象物までの距離に応じた溶接条件で溶接を行うことができる。そのため、高品位溶接を可能とし、安定した溶接を実現することができる。特に、消耗電極を自動供給し消耗電極と溶接対象物との間にアークを発生させて溶接を行う溶接装置として産業上有用である。
【図面の簡単な説明】
【００５０】
【図１】溶接電流の時間変化の一例を示す図
【図２】本発明の実施の形態における溶接装置の概略構成図
【図３】本発明の実施の形態におけるワイヤのねらい位置を示す図
【図４】本発明の実施の形態における他の溶接用チップの概略構成を示す断面図
【図５】図４に示す溶接用チップを用いた場合のワイヤのねらい位置を示す図
【図６】図４に示す溶接用チップを用いた場合のワイヤのねらい位置を示す図
【符号の説明】
【００５１】
１    溶接ユニット
２    電源部
３    入力部
４    記憶部
５    選択部
６    制御部
７    溶接トーチ
８，８Ａ    溶接用チップ
９    母材
１０    ワイヤ
１１    ワイヤ供給部
１２，１２Ａ，１２Ｂ    給電部−溶接対象物間距離
１３    外装
１４    給電部
１４Ａ，１５Ａ    貫通孔
１５    絶縁部材
【手続補正３】
【補正対象書類名】図面
【補正対象項目名】全図
【補正方法】変更
【補正の内容】
【図１】
2008108014.tif 000017
【図２】
2008108014.tif 000018
【図３】
2008108014.tif 000019
【図４】
2008108014.tif 000020
【図５】
2008108014.tif 000021
【図６】
2008108014.tif 000022